(57)【特許請求の範囲】
【請求項１】
電気通信回線を介して商品の情報提供サイトを公開するサーバ装置であって、
前記情報提供サイトに商品に関する情報の掲載を委託する委託者及び前記商品に関する補助情報を提供する提供者を登録する登録手段と、
前記提供者が提供する前記商品の補助情報を記憶する記憶手段と、
前記補助情報の閲覧者による前記商品に関するイベント処理を受け付ける受付手段と、
前記委託者に前記閲覧者に関する情報の送信の要否を問い合わせる問合せ手段と、
前記委託者からの前記閲覧者に関する情報の送信要求を受けたことを条件として、前記イベント処理の受け付けに対する対価を前記委託者に課金する課金手段と、
前記イベント処理が前記提供者への報酬の支払い条件を満たすか否かを判定する判定手段と、
前記判定手段によって条件を満たすと判定され、かつ、前記課金手段によって前記対価が前記委託者に課金されたことを条件として、前記提供者に対して報酬を支払う支払い手段と
を備えることを特徴とするサーバ装置。
【請求項２】
前記提供者への報酬の支払いはポイントの発行であり、
前記支払い手段は、前記提供者からの要求に応じて、当該提供者が保有する前記ポイントを換金する処理を行う
ことを特徴とする請求項１に記載のサーバ装置。
【請求項３】
前記情報提供サイトにおける前記商品に関する閲覧ページを前記提供者が代行者となって作成した場合に、前記支払い手段は、さらに前記提供者に対して報酬を支払うことを特徴とする請求項１又は請求項２に記載のサーバ装置。
【請求項４】
前記商品の前記情報提供サイトへの掲載を委託した委託者が、前記提供者が紹介者となって前記商品の前記情報提供サイトへの掲載を委託した場合、前記支払い手段は、さらに前記提供者に報酬を支払うことを特徴とする請求項１〜３のいずれかに記載のサーバ装置。
【請求項５】
前記提供者が別の提供者の紹介で前記登録手段によって登録された場合、前記支払い手段は、前記提供者に加えて前記別の提供者にも報酬を支払うことを特徴とする請求項１〜４のいずれかに記載のサーバ装置。
【請求項６】
前記提供者が前記委託者に見込み客を紹介した場合と、前記委託者が前記見込み客と商談が成立した場合との少なくとも一方の場合に、前記提供者に報酬を支払うことを特徴とする請求項１〜５のいずれかに記載のサーバ装置。
【請求項７】
前記判定手段は、前記閲覧者が、前記商品に関する前記補助情報を閲覧し、該補助情報からアクセスされた前記商品のページから前記イベント処理が行われ、かつ、該イベント処理が前記補助情報の閲覧後所定時間内に行われた場合、前記補助情報の提供者への報酬の支払う条件を満たすと判定することを特徴とする請求項１〜６のいずれかに記載のサーバ装置。
【請求項８】
前記商品の閲覧ページに複数の前記補助情報が存在する場合に、前記支払い手段は、前記イベント処理が行われた直前または最初に閲覧された補助情報の提供者に対して報酬を支払うことを特徴とする請求項７に記載のサーバ装置。
【請求項９】
前記受付手段が受け付ける前記イベント処理には、前記商品に関する問合せ、前記商品に関する催しの申し込み、及び前記商品に関する資料請求が含まれることを特徴とする請求項１〜８のいずれかに記載のサーバ装置。
【請求項１０】
前記提供者の報酬が所定量以上の場合、該提供者から前記報酬の換金を受け付ける換金受付手段をさらに備えることを特徴とする請求項１〜９のいずれかに記載のサーバ装置。
【請求項１１】
電気通信回線を介して商品の情報提供サイトを公開するサーバ装置の制御方法であって、
前記情報提供サイトに商品に関する情報の掲載を委託する委託者及び前記商品に関する補助情報を提供する提供者を登録する登録工程と、
前記提供者が提供する前記商品の補助情報をサーバ装置に記憶する記憶工程と、
前記補助情報の閲覧者による前記商品に関するイベント処理を受け付ける受付工程と、
前記委託者に前記閲覧者に関する情報の送信の要否を問い合わせる問合せ工程と、
前記委託者からの前記閲覧者に関する情報の送信要求を受けたことを条件として、前記イベント処理の受け付けに対する対価を前記委託者に課金する課金工程と、
前記イベント処理が前記提供者への報酬の支払い条件を満たすか否かを判定する判定工程と、
前記判定工程によって条件を満たすと判定され、かつ、前記課金工程によって前記対価が前記委託者に課金されたことを条件として、前記提供者に対して報酬を支払う支払い工程と
を有することを特徴とするサーバ装置の制御方法。
【請求項１２】
電気通信回線を介して商品の情報提供サイトを公開するサーバ装置に、
前記情報提供サイトに商品に関する情報の掲載を委託する委託者及び前記商品に関する補助情報を提供する提供者を登録する登録手順と、
前記提供者が提供する前記商品の補助情報を記憶する記憶手順と、
前記補助情報の閲覧者による前記商品に関するイベント処理を受け付ける受付手順と、
前記委託者に前記閲覧者に関する情報の送信の要否を問い合わせる問合せ手順と、
前記委託者からの前記閲覧者に関する情報の送信要求を受けたことを条件として、前記イベント処理の受け付けに対する対価を前記委託者に課金する課金手順と、
前記イベント処理が前記提供者への報酬の支払い条件を満たすか否かを判定する判定手順と、
前記判定手順によって条件を満たすと判定され、かつ、前記課金手順によって前記対価が前記委託者に課金されたことを条件として、前記提供者に対して報酬を支払う支払い手順と
を実行させるためのプログラム。
【発明の詳細な説明】
【技術分野】
【０００１】
本発明は、インターネット上で情報提供サイトを公開するサーバ装置、サーバ装置の制御方法及びプログラムに関する。
【背景技術】
【０００２】
従来から、企業の製品・サービス等の商品の宣伝として、商品の広告をインターネット上の情報掲載サイトに掲載することが行われている。人気のある情報掲載サイトに掲載されることで、その商品が多くの閲覧者の目にとまり、それだけ商品の宣伝効果が高まる。
【０００３】
また、そのような情報掲載サイトには、その商品を購入し使用した消費者の感想、意見、推薦文等がコメントとして掲載されることがある。消費者の商品に対する肯定的なコメントは、企業にとってその商品の宣伝効果をさらに高めている。特に、企業と一般消費者との間で取引されるいわゆるＢ２Ｃ商品は、このような情報掲載サイトへの一般消費者からのコメントが投稿されることが多く、他の一般消費者の商品購入の参考となっている。
【発明の概要】
【発明が解決しようとする課題】
【０００４】
しかしながら、企業間取引されるいわゆるＢ２Ｂ商品は、Ｂ２Ｃ商品と異なり、購入者である企業から別の企業の商品購入の参考となるようなコメントが情報掲載サイトに掲載されるということはあまり期待できない。また、Ｂ２Ｂ商品の性質上、専門的・特殊な商品が多く、仮にコメントが投稿されたとしても、その内容が適切なものでなければ企業にとってもマイナスになってしまう。
【０００５】
また、Ｂ２Ｂ商品を販売する企業にとっては、まずは販売先候補となる企業に商品について興味を持ってもらうことが重要であり、企業等からの問合せ等の内容もさることながら、問合わせ元が誰なのかを知ることが重要なアクションとなる。
【０００６】
本発明は、このような事情を考慮してなされたものであり、企業の商品に対する積極的なコメント提供を得ることができ、かつ、商品に対する問合せ等のアクションをより多く得ることができるサーバ装置、サーバ装置の制御方法及びプログラムを提供することを目的とする。
【課題を解決するための手段】
【０００７】
上記課題を解決するために、本発明は、電気通信回線を介して商品の情報提供サイトを公開するサーバ装置であって、前記情報提供サイトに商品に関する情報の掲載を委託する委託者及び前記商品に関する補助情報を提供する提供者を登録する登録手段と、前記提供者が提供する前記商品の補助情報を記憶する記憶手段と、前記補助情報の閲覧者による前記商品に関するイベント処理を受け付ける受付手段と、前記委託者に前記閲覧者に関する情報の送信の要否を問い合わせる問合せ手段と、前記委託者からの前記閲覧者に関する情報の送信要求を受けたことを条件として、前記イベント処理の受け付けに対する対価を前記委託者に課金する課金手段と、前記イベント処理が前記提供者への報酬の支払い条件を満たすか否かを判定する判定手段と、前記判定手段によって条件を満たすと判定され、かつ、前記課金手段によって前記対価が前記委託者に課金されたことを条件として、前記提供者に対して報酬を支払う支払い手段とを備えることを特徴とする。
例えば、前記提供者への報酬の支払いはポイントの発行であり、前記支払い手段は、前記提供者からの要求に応じて、当該提供者が保有する前記ポイントを換金する処理を行う。
【０００８】
また、上記課題を解決するために、本発明に係るサーバ装置は、前記情報提供サイトにおける前記商品に関する閲覧ページを前記提供者が代行者となって作成した場合に、前記支払い手段は、さらに前記提供者に対して報酬を支払うことを特徴とする。
【０００９】
さらに、上記課題を解決するために、本発明に係るサーバ装置は、前記商品の前記情報提供サイトへの掲載を委託した委託者が、前記提供者が紹介者となって前記商品の前記情報提供サイトへの掲載を委託した場合、前記支払い手段は、さらに前記提供者に報酬を支払うことを特徴とする。
【００１０】
さらにまた、上記課題を解決するために、本発明に係るサーバ装置は、前記提供者が別の提供者の紹介で前記登録手段によって登録された場合、前記支払い手段は、前記提供者に加えて前記別の提供者にも報酬を支払うことを特徴とする。
さらにまた、上記課題を解決するために、本発明に係るサーバ装置は、前記提供者が前記委託者に見込み客を紹介した場合と、前記委託者が前記見込み客と商談が成立した場合との少なくとも一方の場合に、前記提供者に報酬を支払うことを特徴とする。
【００１１】
さらにまた、上記課題を解決するために、本発明に係るサーバ装置において、前記判定手段は、前記閲覧者が、前記商品に関する前記補助情報を閲覧し、該補助情報からアクセスされた前記商品のページから前記イベント処理が行われ、かつ、該イベント処理が前記補助情報の閲覧後所定時間内に行われた場合、前記補助情報の提供者への報酬の支払う条件を満たすと判定することを特徴とする。
【００１２】
さらにまた、上記課題を解決するために、本発明に係るサーバ装置は、前記商品の閲覧ページに複数の前記補助情報が存在する場合に、前記支払い手段は、前記イベント処理が行われた直前または最初に閲覧された補助情報の提供者に対して報酬を支払うことを特徴とする。
【００１３】
さらにまた、上記課題を解決するために、本発明に係るサーバ装置において、前記受付手段が受け付ける前記イベント処理には、前記商品に関する問合せ、前記商品に関する催しの申し込み、及び前記商品に関する資料請求が含まれることを特徴とする。
【００１４】
さらにまた、上記課題を解決するために、本発明に係るサーバ装置は、前記提供者の報酬が所定量以上の場合、該提供者から前記報酬の換金を受け付ける換金受付手段をさらに備えることを特徴とする。
【００１５】
さらにまた、上記課題を解決するために、本発明は、電気通信回線を介して商品の情報提供サイトを公開するサーバ装置の制御方法であって、前記情報提供サイトに商品に関する情報の掲載を委託する委託者及び前記商品に関する補助情報を提供する提供者を登録する登録工程と、前記提供者が提供する前記商品の補助情報をサーバ装置に記憶する記憶工程と、前記補助情報の閲覧者による前記商品に関するイベント処理を受け付ける受付工程と、前記委託者に前記閲覧者に関する情報の送信の要否を問い合わせる問合せ工程と、前記委託者からの前記閲覧者に関する情報の送信要求を受けたことを条件として、前記イベント処理の受け付けに対する対価を前記委託者に課金する課金工程と、前記イベント処理が前記提供者への報酬の支払い条件を満たすか否かを判定する判定工程と、前記判定工程によって条件を満たすと判定され、かつ、前記課金工程によって前記対価が前記委託者に課金されたことを条件として、前記提供者に対して報酬を支払う支払い工程とを有することを特徴とする。
【００１６】
さらにまた、上記課題を解決するために、本発明に係るプログラムは、電気通信回線を介して商品の情報提供サイトを公開するサーバ装置に、前記情報提供サイトに商品に関する情報の掲載を委託する委託者及び前記商品に関する補助情報を提供する提供者を登録する登録手順と、前記提供者が提供する前記商品の補助情報を記憶する記憶手順と、前記補助情報の閲覧者による前記商品に関するイベント処理を受け付ける受付手順と、前記委託者に前記閲覧者に関する情報の送信の要否を問い合わせる問合せ手順と、前記委託者からの前記閲覧者に関する情報の送信要求を受けたことを条件として、前記イベント処理の受け付けに対する対価を前記委託者に課金する課金手順と、前記イベント処理が前記提供者への報酬の支払い条件を満たすか否かを判定する判定手順と、前記判定手順によって条件を満たすと判定され、かつ、前記課金手順によって前記対価が前記委託者に課金されたことを条件として、前記提供者に対して報酬を支払う支払い手順とを実行させることを特徴とする。
【発明の効果】
【００１７】
本発明によれば、企業の商品に対する積極的なコメント提供を得ることができ、かつ、商品に対する問合せ等のアクションをより多く得ることができる。
【図面の簡単な説明】
【００１８】
【図１】本発明の一実施形態に係るサーバ装置１を含む情報提供システム１００の構成例を示す図である。
【図２】図１に示す情報提供システム１００における各端末間のやりとりを時間軸に沿って示したシーケンス図である。
【図３】図１に示す本実施形態に係るサーバ装置１の構成を示す構成図である。
【図４】本発明の一実施形態に係るサーバ装置１から提供者４ａ等に付与するポイントの一例を示す図である。
【発明を実施するための形態】
【００１９】
以下、図面を参照して、本発明に係るサーバ装置１の実施の形態について説明する。
図１は、本発明の一実施形態に係るサーバ装置１を含む情報提供システム１００の構成例を示す図である。図１において、本実施形態に係るサーバ装置１は、インターネット等の電気通信回線２に接続している。サーバ装置１では、企業の商品に関する情報（例えば、商品の広告、仕様、その他の商品説明等）やその商品に関する補助情報（例えば、その商品の第三者による推薦文、ユーザとしての肯定的な感想等の興味や購買意欲をかき立てる説明等）を電気通信回線２を介して公開する情報提供サイトが運営・管理されている。そして、電気通信回線２には、商品を取り扱う企業（情報提供サイトへの商品に関する情報の委託者）の端末（企業端末）３、その商品に関する補助情報を情報提供サイトに提供するユーザ（その商品のサポーターとしての補助情報の提供者）の端末（提供者端末）４、その商品に関する情報等を当該情報提供サイトの閲覧を通じて企業に要求するユーザの端末（閲覧者端末）５が接続されている。
【００２０】
本実施形態の情報提供システム１００において、企業端末３及び提供者端末４は、それぞれサーバ装置１で管理される情報提供サイトにメンバー登録した企業３ａ及び提供者４ａの端末である。企業３ａ、提供者４ａは所定の登録手続きをとってサーバ装置１が運営・管理する情報提供サイトに情報を掲載することができ、課金処理を受けたり、当該情報掲載サイト内で有効なポイントの蓄積・使用が可能になる。また、電気通信回線２はインターネット等の公衆ネットワーク回線であって、閲覧者５ａは特別な登録手続き等することなく自由にサーバ装置１で運営・管理されている情報提供サイトに閲覧者端末５からアクセスして閲覧することができる。
【００２１】
図２は、図１に示す情報提供システム１００における各端末間のやりとりを時間軸に沿って示したシーケンス図である。以下では、図１に示す情報提供システム１００の各端末間のやりとりについて、図２のシーケンスを用いて詳細に説明する。
【００２２】
図３は、図１に示す本実施形態に係るサーバ装置１の構成を示す構成図である。管理者１ａは、サーバ装置１を用いて電気通信回線２を介して企業の商品の情報提供サイトを運営・管理し、公開している。
【００２３】
サーバ装置１の登録部１１は、当該サーバ装置１で運営・管理されている情報提供サイトへ商品の情報を提供する企業３ａを情報提供側のメンバーとして登録する（ステップＳ１）。メンバーとして登録された企業３ａは、自社の商品に関する広告を管理者１ａが運営・管理する情報提供サイトに掲載する（ステップＳ２）。このように、企業３ａが情報提供サイトへの商品に関する情報を「委託者」として委託することによって、当該商品に関する情報を電気通信回線２を介して提供者４ａや閲覧者５ａ等が閲覧可能となる。また、登録部１１は、当該サーバ装置１で運営・管理されている情報提供サイトにおいて商品の情報を閲覧した提供者４ａからの申し込みにより、当該商品に関する使用後の感想や他の企業への推薦文やコメントといった商品に関する補助情報の提供者として、情報提供側のメンバーとして登録する（ステップＳ３）。つまり、本実施形態では、商品に関する情報を情報提供サイトに提供するユーザ（提供者４ａ）はその企業３ａの「サポーター」として、当該企業３ａの商品に関する「応援メッセージ」である補助情報を情報提供サイトに提供する。
【００２４】
次に、サーバ装置１の記憶部１２は、提供者４ａが提供者端末４から提供（送信）した商品の補助情報を記憶する（ステップＳ４）。なお、当該補助情報は、サーバ装置１で受信された後、企業端末３に転送され、企業３ａによって内容が検討され、掲載の可否が決定される。そして、その結果は、企業端末３からサーバ装置１に返信される。企業３ａが自社の商品の宣伝等のために情報提供サイトに掲載することを承認した場合、サーバ装置１は企業３ａの商品に関する情報が掲載されているページ等に提供者４ａから提供された補助情報を掲載する。これにより閲覧者５ａは企業３ａの商品の情報に加えて当該商品の補助情報も閲覧することができる（ステップＳ５）。閲覧者５ａは、その商品に関する補助情報を閲覧することで、当該商品の購入や資料請求といった商品に対する何らかのアクションにつなげる動機付けとすることができる。
【００２５】
そして、サーバ装置１において、受付部１３は、補助情報の閲覧者５ａからの商品に関するイベント処理を受け付ける（ステップＳ６）。ここで、受付部１３が受け付けるイベント処理には、閲覧者端末５からの商品に関する問合せ、商品に関する催しの申し込み、及び商品に関する資料請求等のことを指す。これらのイベント処理は、最終的には商品の購入に繋がる可能性のある行動であり、企業３ａにとっては顧客又はその候補からの重要なアクションの一つである。
【００２６】
次に、サーバ装置１において、問合せ部１４は、商品の情報提供サイトへの掲載を委託した委託者である企業３ａの企業端末３に、イベント処理を行った閲覧者５ａに関する情報の送信の要否を問い合わせる（ステップＳ７）。ここで、本実施形態では、サーバ装置１から企業端末３には、イベント処理の内容（例えば、商品の資料請求や、商品についての質問等）だけが送信され、イベント処理を行った閲覧者５ａ自身の情報は送信されない。すなわち、閲覧者５ａの情報については後述するように有料情報とする。そのため、企業３ａは当該イベント処理の内容から対価を支払ってでも閲覧者５ａの情報が必要であるか否かを判断することとなる。そして、企業３ａは閲覧者５ａの情報が必要である場合には、管理者１ａに当該情報の送信要求を行う（ステップＳ８）。
【００２７】
次に、サーバ装置１において、課金部１５は、委託者である企業３ａからの閲覧者５ａに関する情報の送信要求を受けたことを条件として、当該閲覧者５ａのイベント処理の受け付けに対する対価を企業３ａに課金する（ステップＳ９）。この課金処理はサーバ装置１から企業端末３に対する請求書発行手続きであってもよいし、オンラインによる決裁等の処理等のその他の課金処理であってもよい。なお、課金処理が行われた後、サーバ装置１から企業端末３に対して閲覧者５ａに関する情報の送信が行われる。また、サーバ装置１から企業端末３に対して閲覧者５ａに関する情報の送信を行った後に課金処理を行ってもよい。企業３ａはこれによって、販売先候補である閲覧者５ａに対してイベント処理に基づく対応（例えば、商品に関する問合せの回答、商品に関する資料の発送・送信等）をとることが可能となる。
【００２８】
そして、サーバ装置１において、判定部１６は、イベント処理が補助情報の提供者４ａへの報酬の支払い条件を満たすか否かを判定する（ステップＳ１０）。本実施形態において、判定部１６は、閲覧者５ａが、商品に関する補助情報が掲載されたページを閲覧し、当該補助情報が掲載されたページから商品の情報が掲載されたページにアクセスし、さらに補助情報の閲覧後所定時間内にイベント処理が行われた場合に、補助情報の提供者４ａへの報酬の支払う条件を満たすと判定するものとする。本実施形態では、一例として補助情報の閲覧からイベント処理までの制限時間を２４時間とする。
【００２９】
さらに、サーバ装置１において、支払い部１７は、判定部１６において条件を満たすと判定され、かつ、課金部１５において対価が企業３ａに課金されたことを条件として、補助情報の提供者４ａに対して報酬を支払う（ステップＳ１１）。ここで、本実施形態において、支払い部１７で取り扱われる報酬は現金ではなく、当該情報提供サイト内で使用／処分等が可能な「ポイント」である。そして、登録されたメンバーの蓄積ポイントが所定量以上になった場合、当該メンバーはそのポイントを換金することができるものとする（ステップＳ１２）。そのため、サーバ装置１は、提供者４ａからポイントの換金を受け付ける換金受付部１８をさらに備えている。このように補助情報の提供者４ａは、閲覧者５ａのイベント処理の結果に応じて現金交換可能なポイントを獲得することができるので、必然的に商品に対する適切なコメントや他の閲覧者へ商品を推薦するような内容の補助情報を提供すると考えられる。
【００３０】
なお、本実施形態の情報提供システム１００において、複数の提供者４ａがある商品の補助情報をそれぞれ提供し、企業３ａがこれらを承認して複数の補助情報がサーバ装置１で運営・管理される情報提供サイトに掲載されている場合がある。このような場合には、サーバ装置１の支払い部１７は、イベント処理が行われた直前または最初に閲覧された補助情報の提供者４ａに対してだけ報酬を支払うようにする。
【００３１】
また、本実施形態では、商品の補助情報の提供者４ａだけでなく以下で述べる者に対してもサーバ装置１の登録部１１で情報提供サイトの情報提供側メンバーとして登録することで、前述の換金可能なポイントを付与することを可能とする。
【００３２】
まず、サーバ装置１で公開される情報提供サイトに商品の情報掲載を委託する企業の当該商品に関する閲覧ページを代行して作成する代行者に対して、ポイント付与を可能とする。すなわち、情報提供サイトにおける商品に関する閲覧ページを登録された企業３ａ以外のメンバーが代行者となって作成した場合に、サーバ装置１の支払い部１７は、判定部１６が支払い条件を満たす判定をした場合に、さらに当該代行者に対して報酬を支払うようにする。当該代行者は、換金可能なポイントが成果に応じて付与されることで、閲覧者から商品に対する問合せ等のイベント処理がされやすい閲覧ページの作成に注力を注ぐことが期待される。
【００３３】
次に、サーバ装置１で公開される情報提供サイトに商品の情報掲載を委託する企業であって、それまではメンバーにはなっていなかった企業を紹介したメンバーである提供者４ａに対して、ポイント付与を可能とする。すなわち、商品の情報提供サイトへの掲載を委託した非メンバーの企業３ａが、メンバーである提供者４ａが紹介者となって商品の情報提供サイトへの掲載を委託した場合に、サーバ装置１の支払い部１７は、判定部１６が支払い条件を満たす判定をした場合に、さらに紹介者であるメンバーの提供者４ａに報酬を支払う。このような提供者４ａの努力が、情報掲載サイトへ商品の情報を提供し、当該サイトの管理者１ａに対してイベント処理の対価を支払う企業３ａを増やすことを可能とする。
【００３４】
さらに、サーバ装置１で公開される情報提供サイトに商品の補助情報を提供するメンバーである提供者４ａが別のメンバーである提供者４ｂの紹介で情報提供側メンバーとなった場合には、提供者４ａに報酬が支払われる場合に、当該提供者４ｂに対しても報酬が支払われるようにする。すなわち、サーバ装置１の支払い部１７は、メンバーである提供者４ａに加えて別のメンバーである提供者４ｂにも報酬を支払う。これによって新規の情報提供者（メンバー）を効率的に増やすことが可能となる。但し、このような提供者の紐付けは、閲覧者５ａのイベント処理の直接のきっかけとなった補助情報の提供者を紹介した提供者の一世代だけとする。
さらに、サーバ装置１において、メンバーが、商品の情報提供サイトへの掲載を委託した委託者である企業３ａに見込み客を紹介した場合、あるいは、企業３ａが上記見込み客と商談が成立した場合に、当該紹介をしたメンバーに報酬を支払うようにしてもよい。なお、企業３ａへの見込み客の情報提供は有料とする。また、見込み客紹介による商談成立の成功報酬を、予め締結した契約に基づいて企業３ａからメンバーに直接支払うように支払うようにしてもよい。この場合に、企業３ａがメンバーに直接支払うようにしてもよいし、サーバ装置１が決済を代行してもよい。
【００３５】
図４は、本発明の一実施形態に係るサーバ装置１から提供者４ａ等に付与するポイントの一例を示す図である。なお、これらのポイント付与は前述のようにサーバ装置１から企業３ａに対して課金処理を行った後に行われる。なお、ポイントは、上述したように換金してもよいし、サーバ装置１が提供するサービスの利用に使えるようにしてもよい。
【００３６】
なお、上述の実施形態では、本発明に係るサーバ装置１の動作・処理をハードウェアの構成として説明したが、本発明は、これに限定されるものではない。本発明に係るサーバ装置１は上記処理を、ＣＰＵにプログラムを実行させることにより実現することも可能である。また、当該プログラムは、フレキシブルディスク、ハードディスク、磁気・光磁気ディスク、ＣＤ−ＲＯＭ、ＤＶＤ−ＲＯＭ、フラッシュメモリ等の記録媒体に記録して提供することも可能である。さらに、インターネット等の電気通信回線を介して伝送することにより提供することも可能である。
【符号の説明】
【００３７】
１  サーバ装置
２  電気通信回線
３  企業端末
４  提供者端末
５  閲覧者端末
１１  登録部
１２  記憶部
１３  受付部
１４  問合せ部
１５  課金部
１６  判定部
１７  支払い部
１８  換金受付部
【図１】
0006552909.tif 000002
【図２】
0006552909.tif 000003
【図３】
0006552909.tif 000004
【図４】
0006552909.tif 000005